(57)【要約】【課題】  本発明は、ソーラパネル等の物品を支持する支柱を垂直に配置するときに、建物の構造のグリッド線等から開放された位置に支柱を設けることが出来、支柱の配置の自由度を向上することが出来、既存住宅への後設置が容易に出来、既存の屋根材や防水シート等もそのままにして後設置することが出来る陸屋根支柱取付構造を提供することを可能にすることを目的としている。【解決手段】  ＡＬＣパネル２の表面に防水シート３が敷設された陸屋根４に後付けで物品を支持する支柱６を垂直に取り付ける構造であって、物品を支持する支柱６は、筒体７と、該筒体７の外径よりも大きい底板８とを有し、該底板８の下面に水平調整材となるウレタン材９を挟み込んで受け板10を接合すると共に、既存の防水シート３上に受け板10を載置し、筒体７の内側から、底板８、水平調整材となるウレタン材９、受け板10、既存の防水シート３を貫通してＡＬＣパネル２に対してビス12を打ち込んで固定した構成であることを特徴とする。【選択図】      図２
2008303599.tif 000002
【特許請求の範囲】
【請求項１】
軽量気泡コンクリートパネルに防水シートが敷設された陸屋根に後付けで物品を支持する支柱を垂直に取り付けた構造であって、
前記物品を支持する支柱は、筒体と、該筒体の外径よりも大きい底板とを有し、
前記底板の下面に水平調整材を挟み込んで受け板を接合すると共に、前記既存の防水シート上に前記受け板を載置し、前記筒体内側から、前記底板、前記水平調整材、前記受け板、前記既存の防水シートを貫通して前記軽量気泡コンクリートパネルに対してビス止めしたことを特徴とする陸屋根支柱取付構造。
【発明の詳細な説明】
【技術分野】
【０００１】
本発明は、軽量気泡コンクリートパネルの表面に防水シートが敷設された陸屋根に後付けでソーラパネル等の物品を支持する支柱を垂直に取り付けた構造に関するものである。
【背景技術】
【０００２】
例えば、特開２００５−２１３９２１号公報（特許文献１）には、屋根材、防水シート等を貫通させて、屋根の小屋梁に支柱を固定する構造が提案されている。
【０００３】
【特許文献１】特開２００５−２１３９２１号公報
【発明の開示】
【発明が解決しようとする課題】
【０００４】
しかしながら、前述の特許文献１の技術では、まず防水シートを取り除き、次にその下の軽量気泡コンクリート（ＡＬＣ）板を撤去した部位の小屋梁に支柱の取付け部を取り付けるため、ＡＬＣ板による断熱性能が劣化する上、小屋梁が無い部位には支柱が取り付けられず、支柱の取り付け位置が制限されるという問題があった。
【０００５】
本発明は前記課題を解決するものであり、その目的とするところは、ソーラパネル等の物品を支持する支柱を垂直に配置するときに、建物の構造のグリッド線等から開放された位置に支柱を設けることが出来、支柱の配置の自由度を向上することが出来、既存住宅への後設置が容易に出来、既存の屋根材や防水シート等もそのままにして後設置することが出来る陸屋根支柱取付構造を提供せんとするものである。
【課題を解決するための手段】
【０００６】
前記目的を達成するための本発明に係る陸屋根支柱取付構造の第１の構成は、軽量気泡コンクリートパネルに防水シートが敷設された陸屋根に後付けで物品を支持する支柱を垂直に取り付けた構造であって、前記物品を支持する支柱は、筒体と、該筒体の外径よりも大きい底板とを有し、前記底板の下面に水平調整材を挟み込んで受け板を接合すると共に、前記既存の防水シート上に前記受け板を載置し、前記筒体内側から、前記底板、前記水平調整材、前記受け板、前記既存の防水シートを貫通して前記軽量気泡コンクリートパネルに対してビス止めしたことを特徴とする。
【発明の効果】
【０００７】
本発明に係る陸屋根支柱取付構造によれば、水平調整材を用いることで、屋根の勾配角度のばらつきがあっても水平を調整することが出来、支柱の設置が容易に出来る。また、水平であっても凹凸がある場合にもきちんと水平に取り付けることが容易になる、また、軽量気泡コンクリート（ＡＬＣ）パネルに対する固定用のビス止めは筒体の内側から行うので該筒体上部を覆うことで防水性能が高い。
【０００８】
また、水平な陸屋根であったとしても、この水平調整材を用いることで確実に水平に調整することが出来、支柱を垂直にすることが容易となる。
【０００９】
このように水平調整材は、受け板に入れるときは液状で表面が水平になり、そのまま時間と共に硬化するものであると良い。
【００１０】
また、支柱の底板、受け板の外径が筒体の外径よりも大きいため安定した設置が出来る。また、軽量気泡コンクリート（ＡＬＣ）パネルを撤去する必要が無いため、軽量気泡コンクリート（ＡＬＣ）パネルの断熱性能を維持することが出来る。
【００１１】
また、筒体と屋根架台との結合をネジ部の螺合により構成することで、屋根架台の高さ調整が可能になる。
【００１２】
また、支柱に取り付ける専用架台を特別に作成する必要が無い。また、軽量気泡コンクリート（ＡＬＣ）パネルからなる陸屋根の既設の屋根材、防水シート等を剥がすことなく後付施工出来る。
【００１３】
また、前記物品を太陽電池等のソーラパネルとすることが出来、風圧を受け易いソーラパネルであっても強固に支持することが出来る。
【００１４】
以上のように、支柱の設置が容易であるので、より強固に取り付けたい場合には支柱の数を増やすだけで良い。
【００１５】
また、筒体内側から、底板、水平調整材、受け板、既存の防水シートを貫通して軽量気泡コンクリートパネルに対してビス止めしたので、より強固に取り付けたい場合には防水性能低下を気にすることなくビスの数を増やすだけで良い。
【００１６】
例えば、厚さ１００mmのＡＬＣパネルではビスの数は通常２本であるが、強固に支持したいときはその数を増やせば良い。尚、ビスとビスとの間隔は５０mm以上離すことで、有効な本数効果を発揮させることが出来る。
【発明を実施するための最良の形態】
【００１７】
図により本発明に係る陸屋根支柱取付構造の一実施形態を具体的に説明する。図１（ａ），（ｂ）は本発明に係る陸屋根支柱取付構造により陸屋根にソーラパネルを取り付けた様子を示す平面図及び断面図、図２は本発明に係る陸屋根支柱取付構造の要部を示す断面説明図である。
【００１８】
図１及び図２において、１は軽量気泡コンクリートパネル（以下、「ＡＬＣパネル」という）２の表面に防水シート３が敷設された陸屋根４に後付けで物品となるソーラパネル５を支持する支柱６を垂直（鉛直；水平方向に対して直交する方向）に取り付けた陸屋根支柱取付構造である。本実施形態の陸屋根４は雨水を排水するためにわずかに傾斜して設けられている。尚、ＡＬＣパネル２と防水シート３との間に断熱層があっても良い。
【００１９】
ソーラパネル５を支持する支柱６は、図２に示すように、筒体７と、該筒体７の外径よりも大きい外形を有する底板８とを有しており、筒体７と底板８とは例えばステンレス製で構成され、溶接等により接合されている。
【００２０】
底板８の下面には水平調整材の一例となる高分子樹脂のウレタン材９を挟み込んで筒体７の外径よりも大きい外形を有する受け板10が接合される。受け板10は硬化する前の液状のウレタン材９を充填するための受け皿を兼ねており、本実施形態では断面コ字形状のプラスチックシート容器或いは金属製容器で構成され、図２において破線で示す余分な部分は鋏等により容易に切除することが出来る。高分子樹脂であるウレタン (urethane) 材９はカルボニルを介してアミノ基とアルコール基が脱水縮合した化合物である。
【００２１】
このように水平調整材は、受け板に入れるときは液状で表面が水平になり、そのまま時間と共に硬化するものであると良い。
【００２２】
陸屋根４は図１（ｂ）に示すように、梁11上にＡＬＣパネル２が載置され、該ＡＬＣパネル２の表面に防水シート３が敷設されている。本実施形態の陸屋根支柱取付構造１はわずかに傾斜した既存の防水シート３上に硬化する前のウレタン材９を充填するための受け皿を兼ねる受け板10を載置し、該受け板10内にウレタン材９を充填して硬化させることで硬化したウレタン材９の表面が水平面となり、水平調整材として機能する。
【００２３】
硬化したウレタン材９上に支柱６の底板８を載置し、図２（ｂ）に示すように、筒体７の内側から、底板８、水平調整材となるウレタン材９、受け板10、既存の防水シート３を貫通してＡＬＣパネル２に対してビス12を打ち込んで固定される。
【００２４】
例えば、厚さ１００mmのＡＬＣパネル２ではビス12の数は通常２本であるが、強固に支持したいときはその数を増やせば良い。尚、ビス12とビス12との間隔は５０mm以上離すことで、有効な本数効果を発揮させることが出来る。
【００２５】
受け板10を表面に塩化ビニルを被覆した塩化ビニル鋼板で構成した場合、該受け板10を既存の塩化ビニルからなる防水シート３に熱溶着することが出来、接着とビス止めにより支柱６をより強固に固定することが出来る。
【００２６】
筒体７の外周には表面に塩化ビニルを被覆した断面がハット型の塩化ビニル鋼板13が嵌装されており、該ハット型塩化ビニル鋼板13の外周には塩化ビニル製で断面がハット型の防水シート14が嵌装されている。そして、ハット型防水シート14の筒部14ａ及びこれに連続する鍔部14ｂの一部をハット型塩化ビニル鋼板13に熱溶着すると共に、該筒部14ａの天端部を拘束バンド15により拘束し、筒体７の外周面と、ハット型防水シート14の筒部14ａ及びハット型塩化ビニル鋼板13の筒部13ａのそれぞれの天端との間の隙間をシーリング材19によりシールする。また、ハット型防水シート14の鍔部14ｂは、ハット型塩化ビニル鋼板13の鍔部13ｂ、底板８及び受け板10を覆うようにして既存の防水シート３まで延長され、該防水シート３に熱溶着される。
【００２７】
筒体７の天端部外周にはネジ部７ａが形成されており、該ネジ部７ａに屋根架台16の筒部16ａの内周に形成されたネジ部16ｂを螺合締結することで支柱６に屋根架台16が固定される。筒体７の内部は屋根架台16の蓋板16ｃにより覆われるため筒体７内部の防水性能を確保することが出来る。
【００２８】
また、このように、筒体７と屋根架台16との結合をネジ部７ａ，16ｂの螺合により構成したことで、屋根架台16の高さ調整が可能になる。
【００２９】
蓋板16ｃの筒部16ａよりも外側には貫通孔16ｄが形成されており、物品となるソーラパネル５の支持金具17が貫通孔16ｄに挿通されたボルト18及びナット20によりボルト止めされて固定される。
【００３０】
尚、前記実施形態では傾斜した陸屋根４に対して支柱６を垂直に取り付ける場合の一例について説明したが、水平の陸屋根４に対して支柱６を垂直に取り付ける場合でも同様に適用出来るものであり、このような陸屋根４では、図２の破線で示すように受け板10の余分な部分を切除する必要もない。
【００３１】
上記構成によれば、水平調整材となるウレタン材９を用いることで、陸屋根４の勾配角度のばらつきがあっても水平を調整することが出来、支柱６の垂直設置が容易に出来る。また、ＡＬＣパネル２に対する固定用ビス12は筒体７の内側から行うので該筒体７上部を屋根架台16の蓋板16ｃで覆うことで防水性能が高い。
【００３２】
また、支柱６の底板８、受け板10の外径が筒体７の外径よりも大きいため安定した設置が出来る。また、特許文献１のように、ＡＬＣパネル２を撤去する必要が無いため、ＡＬＣパネル２による断熱性能を維持することが出来る。
【００３３】
また、支柱６に取り付ける専用架台を特別に作成する必要が無く、ＡＬＣパネル２からなる陸屋根４の既設の屋根材、防水シート３等を剥がすことなく後付施工出来る。
【００３４】
また、物品を屋上で風圧を受け易い太陽電池等のソーラパネル５とした場合であっても強固に支持することが出来る。
【００３５】
また、支柱６を配置するときに、建物の構造のグリッド線等から開放された位置に支柱６を設けることが出来、支柱６の配置の自由度を向上することが出来、既存住宅への後設置が容易に出来、既存の屋根材や防水シート３等もそのままにして後設置することが出来る。
【００３６】
また、水平な陸屋根４であったとしても、この水平調整材を用いることで確実に水平に調整することが出来、支柱６を垂直にすることが容易となる。
【００３７】
支柱６の設置が容易であるので、より強固に取り付けたい場合には支柱６の数を増やすだけで良い。
【００３８】
また、筒体７内側から、底板８、水平調整材、受け板10、既存の防水シート３を貫通してＡＬＣパネル２に対してビス12止めしたので、より強固に取り付けたい場合には防水性能低下を気にすることなくビス12の数を増やすだけで良い。
【産業上の利用可能性】
【００３９】
本発明の活用例として、軽量気泡コンクリートパネルの表面に防水シートが敷設された陸屋根に後付けでソーラパネル等の物品を支持する支柱を垂直に取り付けた構造に適用出来る。
【図面の簡単な説明】
【００４０】
【図１】（ａ），（ｂ）は本発明に係る陸屋根支柱取付構造により陸屋根にソーラパネルを取り付けた様子を示す平面図及び断面図である。
【図２】本発明に係る陸屋根支柱取付構造の要部を示す断面説明図である。
【符号の説明】
【００４１】
１…陸屋根支柱取付構造
２…ＡＬＣパネル
３…防水シート
４…陸屋根
５…ソーラパネル
６…支柱
７…筒体
７ａ…ネジ部
８…底板
９…ウレタン材
10…受け板
11…梁
12…ビス
13…ハット型塩化ビニル鋼板
13ａ…筒部
13ｂ…鍔部
14…ハット型防水シート
14ａ…筒部
14ｂ…鍔部
15…拘束バンド
16…屋根架台
16ａ…筒部
16ｂ…ネジ部
16ｃ…蓋板
16ｄ…貫通孔
17…支持金具
18…ボルト
19…シーリング材
20…ナット
【図１】
2008303599.tif 000003
【図２】
2008303599.tif 000004